(57)【要約】      （修正有）【課題】女性の胸元をさらにゴージャスに飾ることができる装飾物を提供する。【解決手段】ブラジャーの正面側の右肩ストラップ５１の中央付近に留め具を固定し、左肩ストラップ５３の中央付近に留め具を固定する。そして、チェーンの中央付近にある装飾本体が、胸元に向けて垂れさがった状態になる。装飾本体が胸元付近に位置し、胸元を装飾できる。右肩ストラップ５１および左肩ストラップ５３が肩から外れることを効果的に抑制できる。【選択図】図２
0003181369.tif 000002
【実用新案登録請求の範囲】
【請求項１】
ブラジャーの右側の肩ストラップに取り付けられる第1の取り付け部材が一端に設けられ、前記ブラジャーの左側の肩ストラップに取り付けられる第２の取り付け部材が他端に設けられた線状体と、
前記ブラジャーに装着した状態で、前記線状体に取り付けられた装飾部と
を有するブラジャー用装飾物。
【請求項２】
前記装飾部は、前記線状体に対して胸元に向けて垂れさがるように、着脱可能に装着されている
請求項１に記載のブラジャー用装飾物。
【考案の詳細な説明】
【技術分野】
【０００１】
本考案は、ブラジャーに装着して胸元を装飾するブラジャー用装飾物に関するものである。
【背景技術】
【０００２】
女性向けの様々な種類のジュエリーが販売されている。女性の胸元を飾る物として、ペンダントがある。
【考案の概要】
【考案が解決しようとする課題】
【０００３】
ところで、パーティ等において、ペンダント以外の方法で、女性の胸元をさらにゴージャスに飾ることができる装飾物が求められている。
【０００４】
本考案はかかる事情に鑑みてなされたものであり、その目的は、ペンダント以外の方法で、女性の胸元をさらにゴージャスに飾ることができる装飾物を提供することにある。
【課題を解決するための手段】
【０００５】
上述した従来技術の問題点を解決し、上述した目的を達成するために、本考案のブラジャー用装飾物は、ブラジャーの右側の肩ストラップに取り付けられる第1の取り付け部材が一端に設けられ、前記ブラジャーの左側の肩ストラップに取り付けられる第２の取り付け部材が他端に設けられた線状体と、前記ブラジャーに装着した状態で、前記線状体に取り付けられた装飾部とを有する。
好適には、本考案のブラジャー用装飾物の前記装飾部は、前記線状体に対して胸元に向けて垂れさがるように、着脱可能に装着されている。
【考案の効果】
【０００６】
本考案によれば、ペンダント以外の方法で、女性の胸元をさらにゴージャスに飾ることができる装飾物を提供することができる。
【図面の簡単な説明】
【０００７】
【図１】図１は本考案の第１実施形態に係るブラジャー用アクセサリーの正面図である。
【図２】図２は図１に示すブラジャー用アクセサリーの使用形態を説明するための図である。
【図３】図３は、本考案の第２実施形態のブラジャー用アクセサリーの使用形態を説明するための図である。
【図４】図４は、本考案の第３実施形態のブラジャー用アクセサリーの使用形態を説明するための図である。
【考案を実施するための形態】
【０００８】
以下、本考案の実施形態に係る部材収容アクセサリについて説明する。
＜第１実施形態＞
図１は本考案の第１実施形態に係るブラジャー用アクセサリー１の正面図である。
図２は図１に示すブラジャー用アクセサリー１の使用形態を説明するための図である。
【０００９】
図１に示すように、ブラジャー用アクセサリー１は、例えば、線状のチェーン１１と、装飾部３１とを有する。
チェーン１１は、図２に示すように、その一端にブラジャーの右肩ストラップ５１に取り付けられる留め具２１が設けれ、その他端にブラジャーの左肩ストラップ５３に取り付けられる留め具２３が設けられている。
留め具２１，２４は、ストライプ５１，５３に固定可能なものであれば、特に限定されない。
チェーン１１は、右肩ストラップ５１と左肩ストラップ５３との幅と略同じ長さを有している。
【００１０】
装飾部３１は、例えば、装飾本体１３３と、チェーン１３５と、リング部１３７とを有する。
装飾本体１３３は、例えば、ガラス、宝石、金属等で構成されている。
チェーン１３５の一端には装飾本体１３３が取り付けられ、他端にはリング部１３７が取り付けられている。
リング部１３７は、チェーン１１を内側に通し、チェーン１１上を移動可能である。
リング部１３７をチェーン１１に対して着脱自在にすることで、チェーン１１に対して様々な装飾本体を装着できる。
【００１１】
ブラジャー用アクセサリー１は、例えば、図２に示すように、ブラジャーに取り付けられる。
すなわち、ブラジャーの正面側の右肩ストラップ５１の中央付近に留め具２１を固定し、左肩ストラップ５３の中央付近に留め具２３を固定する。
そして、チェーン１１の中央付近にある装飾本体１３３が、胸元に向けて垂れさがった状態になる。
【００１２】
ブラジャー用アクセサリー１では、装飾本体１３３が胸元付近に位置し、胸元を装飾できる。
ブラジャー用アクセサリー１では、ネックレスに比べて胸元を広範囲に装飾することができ、胸元をあまり見せたくないというユーザの要請にも応えることができる。
また、ブラジャー用アクセサリー１では、右肩ストラップ５１と左肩ストラップ５３とがチェーン１１によって連結されているため、右肩ストラップ５１および左肩ストラップ５３が肩から外れることを効果的に抑制できる。
【００１３】
＜第２実施形態＞
図３は、本考案の第２実施形態のブラジャー用アクセサリー２０１の使用形態を説明するための図である。
図３に示すように、ブラジャー用アクセサリー２０１は、チェーン２１１に複数の装飾部２３１が取り付けられている。
装飾部２３１は、同じものでも、異なるものでもよい。また、装飾部２３１の数は特に限定されない。
【００１４】
ブラジャー用アクセサリー２０１によっても第１実施形態で説明したブラジャー用アクセサリー１と同様の効果を得ることができる。
【００１５】
＜第３実施形態＞
図４は、本考案の第２実施形態のブラジャー用アクセサリー３０１の使用形態を説明するための図である。
図４に示すように、ブラジャー用アクセサリー３０１は、チェーン３１１に複数の装飾部３３１が取り付けられている。
チェーン３１１は、複数のリングが上下左右に組み合わせれた厚みがあり、ゴージャスなイメージを見る人に与える。
装飾部３３１は、同じものでも、異なるものでもよい。また、装飾部３３１の数は特に限定されない。
【００１６】
ブラジャー用アクセサリー２０１によっても第１実施形態で説明したブラジャー用アクセサリー１と同様の効果を得ることができる。
【００１７】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００１８】
例えば、上述した実施形態では、本発明の線状体の一例としてチェーンを例示したが、本考案は上述した以外のチェーン、並びにチェーン以外の線状体を用いてもよい。
また、上述した実施形態では、
また、本考案は、複数の線状体を組み合わせて構成してもよい。
【００１９】
また、本発明のブラジャー用装飾物は、ブラジャーの肩ストライプの他に、カップの部分に向けて延びる線状体をさらに備え、当該線状体の端部の留め具がカップに固定されるようにしてもよい。
また、本発明の線状体は、一方の肩ストライプに取り付けられる第１の線状体と、他方の肩ストライプに取り付けられる第２の線状体とを有し、第１の線状体と第２の線状体との間に装飾部を設けてもよい。
また、線状体に取り付けられる装飾部は、上述したように胸元に垂れさがるのではく、ティアラをイメージするように上向きに延びるように線状体に取り付けられていてもよい。
【産業上の利用可能性】
【００２０】
本考案は、ブラジャーに装着して胸元を装飾するブラジャー用装飾物に適用可能である。
【符号の説明】
【００２１】
１…ブラジャー用アクセサリー
１１…チェーン
２１…留め具
２３…留め具
５１…右肩ストラップ
５３…左肩ストラップ
３１…装飾部
１３３…装飾本体
１３５…チェーン
１３７…リング部
【図１】
0003181369.tif 000003
【図２】
0003181369.tif 000004
【図３】
0003181369.tif 000005
【図４】
0003181369.tif 000006